(57)【要約】 【課題】  ユーザーの使用目的に合わせて、張り合わせた光ディスクの各面の種別を瞬時に行うことができる光ディスクを提供することを目的とする。【解決手段】  厚さの異なる光ディスクを両面に張り合わせた光ディスクの少なくとも１つの光ディスクのカバー層を着色したことを特徴とする。【選択図】  図１
2006147103.tif 000002
【特許請求の範囲】
【請求項１】
厚さの異なる光ディスクを両面に張り合わせた光ディスクであって、
少なくとも１つの光ディスクのカバー層若しくは／かつ記録層を着色、もしくは／かつカバー層の上部に着色層を設けたことを特徴とする光ディスク。
【請求項２】
前記カバー層、記録層、前記カバー層の上部の着色層のうち少なくとも１つの色が、もう一方の面に張り合わされた光ディスクの信号を読取る光の波長を吸収する色であることを特徴とする請求項１に記載された光ディスク。
【請求項３】
厚さの異なる光ディスクを両面に張り合わせた光ディスクであって、
前記光ディスクのそれぞれに着色した色の組み合わせが色弱の人でも見分けられる色であることを特徴とする光ディスク。
【請求項４】
厚さの異なる光ディスクを両面に張り合わせた光ディスクであって、
前記光ディスクのうち、再生専用の光ディスクと再生および記録可能な光ディスクとの色を変えて着色したことを特徴とする光ディスク。
【請求項５】
厚さの異なる光ディスクを両面に張り合わせた光ディスクであって、
前記光ディスクのそれぞれに識別マークを設けるとともに、記録密度の高い光ディスクに設けられた識別マークの密度を記録密度の低い光ディスクに設けられた識別マークの密度よりも高くしたことを特徴とする光ディスク。
【請求項６】
前記記録密度の高い光ディスクに設けられた識別マークの密度と、前記記録密度の低い光ディスクに設けられた識別マークの密度の差を２倍以上にしたことを特徴とする請求項５に記載された光ディスク。
【請求項７】
前記識別マークが、同心円状に凹部または凸部として形成されていることを特徴とする請求項５に記載された光ディスク。
【請求項８】
前記識別マークが、前記それぞれの光ディスクの表面もしくは側面に、同一形状の凹部または凸部として等間隔に設けられていることを特徴とする請求項５に記載された光ディスク。
【請求項９】
厚さの異なる光ディスクを両面に張り合わせた光ディスクであって、
前記光ディスクのそれぞれの表面もしくは外周部に信号記録領域よりも面の仕上げが粗い領域を設けるとともに、前記光ディスクのそれぞれの表面もしくは外周部に異なる粗さの領域を設けたことを特徴とする光ディスク。
【請求項１０】
前記信号記録領域よりも面の仕上げが粗い領域の仕上げの粗さの度合いが、記録密度の低い光ディスクよりも記録密度の高い光ディスクの方が高いことを特徴とする光ディスク。
【請求項１１】
厚さの異なる光ディスクを両面に張り合わせた光ディスクであって、
前記光ディスクのそれぞれの外周部に異なる角度のテーパを設けたことを特徴とする光ディスク。
【請求項１２】
厚さの異なる光ディスクを両面に張り合わせた光ディスクであって、
前記光ディスクのそれぞれの外周部に異なる角度のテーパを設けるとともに、記録密度の高い光ディスクに設けられた該テーパの角度を記録密度の低い光ディスクに設けられた該テーパの角度よりも大きくしたことを特徴とする光ディスク。
【請求項１３】
厚さの異なる光ディスクを両面に張り合わせた光ディスクであって、
前記それぞれの光ディスクの種別を判別するための識別マークが設けられるとともに、該識別マークが前記光ディスクのそれぞれのカバー層よりも薄いことを特徴とする光ディスク。
【発明の詳細な説明】
【技術分野】
【０００１】
本発明は、光ディスクに関し、特に、厚さの異なる光ディスクを張り合わせた光ディスクに関する。
【背景技術】
【０００２】
近年、記録容量の増加と取り扱いの容易性から、多種多様な光ディスクが世の中に出回っている。こうした光ディスクは、一般に、片面に信号面、もう一方の面に保護層を備えて、この保護層に光ディスク内に記録された情報の内容を示すような印刷が施されている。（例えば、特許文献１参照）。
【０００３】
一方、最近では、従来から普及しているＣＤと、近年、目ざましい勢いで普及しているＤＶＤとが、それぞれの特色に応じて、例えば、音楽はＣＤに、映像情報はＤＶＤにといった具合に、棲み分けが図られて用いられる場合も多い。こうしたニーズに応えるべく、ＣＤとＤＶＤとを張り合わせて一枚の光ディスクとしたＤｕａｌＤｉｓｃ（登録商標）が提案されている。
【特許文献１】特開２００４−２１３７５６号公報
【発明の開示】
【発明が解決しようとする課題】
【０００４】
ＤｕａｌＤｉｓｃ（登録商標）の場合、例えば、ＣＤとＤＶＤの双方を再生可能な光ディスク装置であれば、光ディスクにレーザー光を照射したときに得られるフォーカスエラー信号の大きさの違いを検出することにより、再生しようとしているのが、ＣＤであるのかＤＶＤであるのかを判別することができる。しかし、ＤｕａｌＤｉｓｃ（登録商標）を再生しようとするユーザーにとっては、ＣＤに記録されている音楽を聞きたい、あるいはＤＶＤに記録されている映像をみたいという目的があって、光ディスクを光ディスク装置に挿入するにも関わらず、挿入してみないと所望の光ディスクが再生されるのかどうかがわからないという問題がある。また、ＣＤとＤＶＤの場合には、ＣＤの厚みが１．２ｍｍ、ＤＶＤの厚みが０．６ｍｍであることから、光ディスクの側面を観察して、微妙な厚みの違いからＣＤの面とＤＶＤの面とを区別することも不可能ではないが、必ずしも正確な判断は期待できない。
【０００５】
そこで、本発明は、上述の問題点に鑑みてなされたものであり、ユーザーの使用目的に合わせて、張り合わせた光ディスクの各面の種別を瞬時に行うことができる光ディスクを提供することを目的とする。
【課題を解決するための手段】
【０００６】
上記課題を解決するために、本発明は、以下の事項を提案している。
請求項１に係る発明は、厚さの異なる光ディスクを両面に張り合わせた光ディスクであって、少なくとも１つの光ディスクのカバー層若しくは／かつ記録層を着色、もしくは／かつカバー層の上部に着色層を設けたことを特徴とする光ディスクを提案している。
【０００７】
請求項２に係る発明は、請求項１に記載された光ディスクについて、前記カバー層、記録層、前記カバー層の上部の着色層のうち少なくとも１つの色が、もう一方の面に張り合わされた光ディスクの信号を読取る光の波長を吸収する色であることを特徴とする光ディスクを提案している。
【０００８】
請求項３に係る発明は、厚さの異なる光ディスクを両面に張り合わせた光ディスクであって、前記光ディスクのそれぞれに着色した色の組み合わせが色弱の人でも見分けられる色であることを特徴とする光ディスクを提案している。
【０００９】
請求項４に係る発明は、厚さの異なる光ディスクを両面に張り合わせた光ディスクであって、前記光ディスクのうち、再生専用の光ディスクと再生および記録可能な光ディスクとの色を変えて着色したことを特徴とする光ディスクを提案している。
【００１０】
請求項５に係る発明は、厚さの異なる光ディスクを両面に張り合わせた光ディスクであって、前記光ディスクのそれぞれに識別マークを設けるとともに、記録密度の高い光ディスクに設けられた識別マークの密度を記録密度の低い光ディスクに設けられた識別マークの密度よりも高くしたことを特徴とする光ディスクを提案している。
【００１１】
請求項６に係る発明は、請求項５に記載された光ディスクについて、前記記録密度の高い光ディスクに設けられた識別マークの密度と、前記記録密度の低い光ディスクに設けられた識別マークの密度の差を２倍以上にしたことを特徴とする光ディスクを提案している。
【００１２】
請求項７に係る発明は、請求項５に記載された光ディスクについて、前記識別マークが、同心円状に凹部または凸部として形成されていることを特徴とする光ディスクを提案している。
【００１３】
請求項８に係る発明は、請求項５に記載された光ディスクについて、前記識別マークが、前記それぞれの光ディスクの表面もしくは側面に、同一形状の凹部または凸部として等間隔に設けられていることを特徴とする光ディスクを提案している。
【００１４】
請求項９に係る発明は、厚さの異なる光ディスクを両面に張り合わせた光ディスクであって、前記光ディスクのそれぞれの表面もしくは外周部に信号記録領域よりも面の仕上げが粗い領域を設けるとともに、前記光ディスクのそれぞれの表面もしくは外周部に異なる粗さの領域を設けたことを特徴とする光ディスクを提案している。
【００１５】
請求項１０に係る発明は、前記信号記録領域よりも面の仕上げが粗い領域の仕上げの粗さの度合いが、記録密度の低い光ディスクよりも記録密度の高い光ディスクの方が高いことを特徴とする光ディスクを提案している。
【００１６】
請求項１１に係る発明は、厚さの異なる光ディスクを両面に張り合わせた光ディスクであって、前記光ディスクのそれぞれの外周部に異なる角度のテーパを設けたことを特徴とする光ディスクを提案している。
【００１７】
請求項１２に係る発明は、厚さの異なる光ディスクを両面に張り合わせた光ディスクであって、前記光ディスクのそれぞれの外周部に異なる角度のテーパを設けるとともに、記録密度の高い光ディスクに設けられた該テーパの角度を記録密度の低い光ディスクに設けられた該テーパの角度よりも大きくしたことを特徴とする光ディスクを提案している。
【００１８】
請求項１３に係る発明は、厚さの異なる光ディスクを両面に張り合わせた光ディスクであって、前記それぞれの光ディスクの種別を判別するための識別マークが設けられるとともに、該識別マークが前記光ディスクのそれぞれのカバー層よりも薄いことを特徴とする光ディスクを提案している。
【発明の効果】
【００１９】
本発明によれば、光ディスクにユーザーの視覚や触覚に訴える一種の識別情報を設けたことから、張り合わされた光ディスクの各面の種別を瞬時に行うことができるという効果がある。
また、張り合わされた光ディスクの各面の種別を瞬時に行うことができることから、こうような光ディスクに対する使い勝手が向上するという効果がある。
【発明を実施するための最良の形態】
【００２０】
以下、本発明の実施形態に係る光ディスクについて図１から図１４を参照して詳細に説明する。
図１は、本発明の第１の実施形態に係る光ディスクの断面を示している。図１に示すように、本発明の第１の実施形態に係る光ディスクは、０．６ｍｍカバー層１と、ＤＶＤ情報記録層２と、ＣＤ情報記録層３と、１．２ｍｍカバー層４とから構成されている。また、ＤＶＤ情報記録層２とＣＤ情報記録層３とは、図示しない接着層を介して接着されている。
【００２１】
図１に示す第１の実施形態に係る光ディスクは、０．６ｍｍカバー層１と１．２ｍｍカバー層４の少なくとも一方に着色が施されている。このとき、着色される色は、もう一方の面に張り合わされた光ディスクの信号を読取る光の波長を吸収する色であることが望ましい。これは、着色を施すことによって、信号再生等に悪影響を与えないためである。なお、０．６ｍｍカバー層１と１．２ｍｍカバー層４の上部に着色を施すための専用の層を設けてもよい。このときも、着色される色は、もう一方の面に張り合わされた光ディスクの信号を読取る光の波長を吸収する色であることが望ましい。
【００２２】
また、第１の実施形態に係る光ディスクは、ＤＶＤ情報記録層２とＣＤ情報記録層３の少なくとも一方に着色を施してもよい。
【００２３】
また、張り合わせた光ディスクの両面に着色を施す場合には、その色の組み合わせが色弱の人でも見分けられる色となるようにすることが望ましい。一般に、灰色と水色、ピンクと灰色、黄色と黄土色、青緑と灰色、薄い緑と肌色、こげ茶色と深緑、赤と緑、暗い緑と暗い赤、暗い赤と黒、黒と暗い緑等は、特に、色覚異常を有する人には、判別が困難であるといわれていることから避けることが望ましい。
【００２４】
また、再生専用の光ディスクと記録再生可能な光ディスクとを組み合わせる場合、双方の光ディスクに異なる着色を施すことが望ましい。このときの色の組み合わせも、色弱な人を考慮した色の組み合わせとすることが望ましい。
【００２５】
次に、図２から図１４を用いて、第２の実施形態について説明する。
図２は、光ディスクの最外周にあたる信号が記録されていないリードアウトエリアの外側に、張り合わせた光ディスクごとに幅（Ａ２、Ｂ２）の異なる切り欠き５を設けたものである。
【００２６】
また、図３から図６は、図２の場合と同様に、光ディスクの最外周にあたる信号が記録されていないリードアウトエリアの外側に、凹部６または凸部７を張り合わせた光ディスクごとに異なる数だけ設けたものであり、図３は、図４もしくは図６を信号面から見た図ある。
【００２７】
実際にこうした光ディスクを作成する場合には、光ディスク表面に同心円状の溝をカバー製造時において型で作成するか、あるいは、後から光ディスク表面に溝を切るようにカッティングを施せばよい。なお、凸部の形成については、印刷による方法も用いることができる。
【００２８】
このように、張り合わせた光ディスクごとに切り欠き５の幅を異ならせたり、光ディスクごとに凹部６または凸部７の数を、例えば、ＣＤの場合には１本、ＤＶＤの場合には２本にすることにより、光ディスクの表面を触っただけでその種別を判別することが可能となる。
【００２９】
図７よび図８は、光ディスクの最外周にあたる信号が記録されていないリードアウトエリアの外側に、識別マーク８を形成したものである。例えば、ＣＤの場合には、１２ｍｍ間隔、ＤＶＤの場合には、６ｍｍ間隔というように、光ディスクの種別ごとに間隔を変えて識別マーク８を形成することにより、光ディスクの表面を触っただけでその種別を判別することが可能となる。
【００３０】
なお、識別マーク８の形状は、図７または図８に示すような円形でなくても、例えば、三角や四角等であってもよい。また、識別マーク８の形成方法としては、光ディスク表面に同一形状の円をカバー製造時において型で作成するか、あるいは、後から光ディスク表面にカッティングを施せばよい。なお、識別マーク８を凸部７として形成する場合には、印刷による方法も用いることができる。
【００３１】
図９および図１０は、光ディスクの最外周にあたる信号が記録されていないリードアウトエリアの外側に、光ディスクの側面と表面に対してウォーブル９を形成したものである。このとき、側面および表面に設けるウォーブル９は、光ディスクのカバー厚以内であり、光ディスクの種類によりウォーブル９の密度を異なるように、例えば、ＣＤ−ＲＯＭの場合には、約６ｍｍ間隔、ＤＶＤの場合には、約３ｍｍとすることにより、光ディスクの表面を触っただけでその種別を判別することが可能となる。
なお、ウォーブル９の形成は、カバー製造時に型で作成するか、後から光ディスクの側面と表面をカッティングすればよい。
【００３２】
図１１および図１２は、光ディスクの最外周にあたる信号が記録されていないリードアウトエリアの外側に、同心円状の粗い仕上げの部分を設けたものである。このとき、例えば、ＣＤの場合にはＲａ＝１００ｓとし、ＤＶＤの場合にはＲａ＝２５ｓとして、記録密度の低いディスク（ＣＤ）の方の仕上げを粗くすることにより、光ディスクの表面を触っただけでその種別を判別することが可能となる。
【００３３】
実際にこうした光ディスクを作成する場合には、光ディスク表面に同心円の粗い仕上げをカバー製造時において型で作成するか、あるいは、後から光ディスク表面にカッティングを施せばよい。また、この粗い仕上げは、印刷により作成する方法であっても良い。
【００３４】
表面に作成する粗さは、例えば、ＣＤの場合、６０粒度、ＤＶＤの場合、１５０粒度というように、記録密度の低いディスク（ＣＤ）の方を粗くすることより、光ディスクの表面を触っただけでその種別を判別することが可能となる。
【００３５】
図１３および図１４は、光ディスクの最外周にあたる信号が記録されていないリードアウトエリアの外側に、テーパ１０を形成したものである。このテーパ１０の傾斜は、光ディスクのカバー厚以内で、光ディスクの種類によりその角度が異なるように、例えば、ＣＤ−ＲＯＭの場合には１０°、ＣＤ−Ｒの場合には３０°とすることにより、光ディスクの表面を触っただけでその種別を判別することが可能となる。なお、テーパ部１０はさらに荒仕上げをしても良い。また、テーパ部１０の形成は、カバー製造時に型で作成してもよいし、後から光ディスク側面をカッティングしてもよい。
【００３６】
以上、図面を参照して本発明の実施の形態について詳述してきたが、具体的な構成はこれらの実施形態に限られるものではなく、この発明の要旨を逸脱しない範囲の設計変更等も含まれる。
【図面の簡単な説明】
【００３７】
【図１】本発明に係る光ディスクの断面図である。
【図２】光ディスクのリードアウトエリアに切り欠き部を設けた場合の断面図である。
【図３】光ディスクのリードアウトエリアに凹部または凸部を設けた場合の上面図である。
【図４】光ディスクのリードアウトエリアに凹部または凸部を設けた場合の断面図である。
【図５】光ディスクのリードアウトエリアに凹部または凸部を設けた場合の断面図である。
【図６】光ディスクのリードアウトエリアに凹部または凸部を設けた場合の断面図である。
【図７】光ディスクのリードアウトエリアに識別マークを設けた場合の上面図である。
【図８】光ディスクのリードアウトエリアに識別マークを設けた場合の上面図である。
【図９】光ディスクのリードアウトエリアにウォーブルを設けた場合の上面図である。
【図１０】光ディスクのリードアウトエリアにウォーブルを設けた場合の上面図である。
【図１１】光ディスクのリードアウトエリアの仕上げの粗さを変えた場合の上面図である。
【図１２】光ディスクのリードアウトエリアの仕上げの粗さを変えた場合の上面図である。
【図１３】光ディスクのリードアウトエリアにテーパを設けた場合の断面図である。
【図１４】光ディスクのリードアウトエリアにテーパを設けた場合の上面図である。
【符号の説明】
【００３８】
１・・・０．６ｍｍカバー層、２・・・ＤＶＤ情報記録層、３・・・ＣＤ情報記録層、４・・・１．２ｍｍカバー層、５・・・切り欠き部、６・・・凹部、７・・・凸部、８・・・識別マーク、９・・・ウォーブル、１０・・・テーパ、
【図１】
2006147103.tif 000003
【図２】
2006147103.tif 000004
【図３】
2006147103.tif 000005
【図４】
2006147103.tif 000006
【図５】
2006147103.tif 000007
【図６】
2006147103.tif 000008
【図７】
2006147103.tif 000009
【図８】
2006147103.tif 000010
【図９】
2006147103.tif 000011
【図１０】
2006147103.tif 000012
【図１１】
2006147103.tif 000013
【図１２】
2006147103.tif 000014
【図１３】
2006147103.tif 000015
【図１４】
2006147103.tif 000016